(57)【要約】  手動弁タイプの小型化を十分活かしながらもその課題を解決した電動弁タイプの流量調整弁を提供する。回転体15を回転させることによって上下移動体6を上下移動させる回転装置を備えている。回転装置は、回転体15の上端部に設けられた従動歯車14と、従動歯車14に噛み合わされた駆動歯車13を回転させるモータ11とを備えている。モータ11は、ステッピングサーボモータとされて、駆動歯車13の下方に配置されており、モータ11の回転軸34が上方に伸びて、その上端部に駆動歯車13が固定されている。
2018079586.tif 000002
【特許請求の範囲】
【請求項１】
流体通路が設けられたボディと、前記流体通路を開閉する弁体と、上昇または下降することにより前記弁体による前記流体通路の開度を調整する上下移動体と、前記上下移動体にねじ合わされる回転体と、前記回転体を回転させることによって前記上下移動体を上下移動させる回転装置とを備えている流量調整弁において、
前記回転装置は、前記回転体の一部に設けられた従動歯車と、前記従動歯車に噛み合わされた駆動歯車と、前記駆動歯車を回転させるモータとを備えており、
前記モータは、ステッピングサーボモータとされて、前記モータの回転軸に前記駆動歯車が固定されていることを特徴とする流量調整弁。
【請求項２】
前記モータは、前記回転体に隣接するように配置され、前記モータの回転軸が上方に伸びて、その上端部に前記駆動歯車が固定されている請求項１の流量調整弁。
【請求項３】
前記モータの横断面が一辺３５ｍｍ以下の正方形状とされ、前記流量調整弁の横断面が長方形で、その短辺が３６ｍｍ以下とされ、前記開度の０％から１００％までの分解能が２０００パルス以上とされている請求項１または２の流量調整弁。
【請求項４】
前記モータは、エンコーダの信号によるクローズドループによって位置を制御する位置制御、回転体の回転速度を制御する速度制御、トルク値が設定値以上になるまで連続定格トルク以下で前記回転体を開度０％方向に移動させる押し当て制御、およびトルクを制御するトルク制御の４つの機能を有しており、
開度０％位置の検知は、前記押し当て制御機能によって行われ、所定開度の設定は、前記位置制御機能および前記速度制御機能によって行われ、前記開度０％位置の検知時および前記所定開度の設定時には、前記トルク制御機能によってトルク異常が判定される請求項１から３までのいずれかに記載の流量調整弁。
【請求項５】
開度が所定の値に設定される流量調整弁をそれぞれ有する複数のラインを備えた流体制御装置であって、複数のラインの各流量調整弁が請求項１から４までのいずれかに記載の流量調整弁とされるとともに、前記各流量調整弁の前記モータの動作量が通信手段で接続された監視装置によって監視されていることを特徴とする流体制御装置。
【発明の詳細な説明】
【技術分野】
【０００１】
この発明は、流量調整弁およびこれを用いた流体制御装置に関する。
【背景技術】
【０００２】
流体制御装置は半導体製造ラインにおいて必須のコンポーネントである。【０００３】
流体制御装置に使用される流量調整弁は、弁体による流路通路の開度を調整する上下移動体にねじ合わされた回転体を回転させて前記上下移動体を上昇または下降させることで弁体による流路通路の開度を調整する構造を有する。【０００４】
回転体の回転は、手動でハンドルを回すことで行う構造のもの（手動弁タイプ）と、電動で行う構造のもの（電動弁タイプ）がある。【０００５】
流体制御装置は半導体製造ライン当り多量に使用されている。しかも、製造ラインをコンパクトにするためや製造プロセス条件からの制約のために流体制御装置は余裕のない空間に設置される場合が少なくない。【０００６】
そのため、手動弁タイプでの流量調整は、例えば、流体制御装置の下方の奥まったところにある８ライン〜１４ラインの流量調整弁に対して、作業者が手を伸ばして、必要なら鏡等で流量調整弁の目盛を見ながら、且つ、そのラインのマスフローメータの流量表示を見ながら、僅かな刻みの目盛で微妙にハンドルを手で動かして調整しなければならなかった。この作業を製造ラインに設置されている全ての流体制御装置に対して行う必要があり、手間暇がかかる煩雑な作業となっており小型であることを十分活かしきれていなかった。【０００７】
これに対して電動弁タイプ（例えば、特許文献１、２）での流量調整には、流量調整のために作業者が直接介在しないので、上記の様な手動弁タイプでの課題は存在しない。
【先行技術文献】
【特許文献】
【０００８】
【特許文献１】特開２００１−４０６２号公報
【特許文献２】特開平８−６４４９０号公報
【発明の概要】
【発明が解決しようとする課題】
【０００９】
然しながら、特許文献１の場合は，ステッピングモーターを外付けにしているために、その分装置の容積が大きくなる課題があり、又、特許文献２の場合は、内蔵したラックピニオンを駆動して弁体の開閉度を制御しているために、ラックピニオンの容積に加えラックの上下動の容積を必要とするという課題があった。【００１０】
本発明は、上記の点に鑑みてなされたものであり、手動弁タイプの小型化を十分活かしながらもその課題を解決した電動弁タイプの流量調整弁を提供することを主たる目的とする。
【課題を解決するための手段】
【００１１】
この発明による流量調整弁は、流体通路が設けられたボディと、前記流体通路を開閉する弁体と、上昇または下降することにより前記弁体による前記流体通路の開度を調整する上下移動体と、前記上下移動体にねじ合わされる回転体と、前記回転体を回転させることによって前記上下移動体を上下移動させる回転装置とを備えている流量調整弁において、前記回転装置は、前記回転体の一部に設けられた従動歯車と、前記従動歯車に噛み合わされた駆動歯車と、前記駆動歯車を回転させるモータとを備えており、前記モータは、ステッピングサーボモータとされて、前記モータの回転軸に前記駆動歯車が固定されていることを特徴とするものである。【００１２】
上下移動体、回転体および回転装置によって、流体通路の開度を所定の位置に設定する開度設定手段が形成される。【００１３】
ステッピングサーボモータは、エンコーダを搭載したステッピングモータで、コントローラから発信されるパルス信号に応じて、モータコイルに流す電流を切り替えることによって、一定角度ごとにモータの回転軸を回転させるとともに、エンコーダから現在位置・速度をフィードバックし、動作指令パルスとの誤差を修正しながらのクローズドループ制御を行うことができる。【００１４】
回転装置は、回転体の一部に設けられた従動歯車と、従動歯車に噛み合わされた駆動歯車と、駆動歯車を回転させるモータとを備えており、モータの回転軸に駆動歯車が固定されていることで、流量調整弁の全体寸法を小さくすることができ、さらに、モータがエンコーダを搭載したステッピングサーボモータとされていることで、モータ自体を小さくすることができる。これにより、モータを使用する流量調整弁の大きさを手動のものと同程度の大きさとできる。【００１５】
前記モータは、前記回転体に隣接するように配置され、前記モータの回転軸が上方に伸びて、その上端部に前記駆動歯車が固定されていることが好ましい。このようにすると、モータを使用する流量調整弁をよりコンパクトにすることができる。【００１６】
例えば、前記モータの横断面が一辺３５ｍｍ以下の正方形状とされ、前記流量調整弁の横断面が長方形で、その短辺が３６ｍｍ以下とされ、前記開度の０％から１００％までの分解能が２０００パルス以上とされていることが好ましい。【００１７】
このようにすると、寸法的にも、精度的にも、既存の手動の流量調整弁を置き換えるのに十分な流量調整弁とすることができる。【００１８】
前記モータは、エンコーダの信号によるクローズドループによって位置を制御する位置制御、回転体の回転速度を制御する速度制御、トルク値が設定値以上になるまで連続定格トルク以下で前記回転体を開度０％方向に移動させる押し当て制御およびトルクを制御するトルク制御の４つの機能を有しており、開度０％位置の検知は、前記押し当て制御機能によって行われ、所定開度の設定は、前記位置制御機能および前記速度制御機能によって行われ、前記開度０％位置の検知時および前記所定開度の設定時には、前記トルク制御機能によってトルク異常が判定されることが好ましい。【００１９】
速度制御機能によると、上下移動体の移動速度を手による操作速度と同程度に保持することができ、速度の安定性によって耐久性を確保することができる。また、トルク制御機能によると、流量調整弁が完全に故障して操作できなくなる前に、メンテナンスを行うことで、プロセス中に流量調整弁が破損することを防止することができ、プロセスに甚大な被害を与えることが防止される。こうして、手動のものを電動にすることで懸念される過負荷による流量調整弁の損傷を未然に防止することができる。【００２０】
この発明の流体制御装置は、開度が所定の値に設定される流量調整弁をそれぞれ有する複数のラインを備えた流体制御装置であって、複数のラインの各流量調整弁が前記いずれかの流量調整弁とされるとともに、前記各流量調整弁の前記モータの動作量が通信手段で接続された監視装置によって監視されていることを特徴とするものである。【００２１】
この発明の流体制御装置によると、従来、手動で開度が設定されていた流量調整弁をモータを使用して開度を設定できるとともに、監視装置によって全ての流量調整弁の開度を監視できるので、流体制御装置の流量制御機能を高めることができる。【００２２】
監視装置としては、パソコン、タブレット、スマートフォンなどが使用される。通信手段は、無線であってもよく、有線であってもよく、インターネットを使用してもよい。【００２３】
流量調整弁には、トルク（回転、電流）のほか、画像（動画）、温度および／または湿度、加速度（振動）、音などの信号を発信する測定機器が適宜追加され、監視装置から操作指示を出した後、実際に操作した通りに動作しているかを確認することができる。測定機器は、種々の測定機器のほか、MEMESセンサ、小型CCDカメラなどを用いることもできる。また、監視装置や測定装置内に制御機能を持たせることにより、目標とする流量への調整を、自動で行うようにしても良い。
【発明の効果】
【００２４】
この発明の流量調整弁によると、流量調整弁の上下寸法を小さくすることができるとともに、モータ自体を小さくすることができるので、モータを使用する流量調整弁の大きさを手動のものと同程度の大きさとできる。したがって、従来、手動の流量調整弁を使用していて、流量調整弁用のスペースを広げることができない流体制御装置に対し、この流量調整弁を適用することができる。
【図面の簡単な説明】
【００２５】
【図１】図１は、この発明による流量調整弁の１実施形態を示す縦断面図である。
【図２】図２は、図１の平面図である。
【図３】図３は、この発明による流量調整弁における動作ステップを示すフローチャートである。
【図４】図４は、この発明による流量調整弁が適用された流体制御装置の１例を示す図である。
【符号の説明】
【００２６】
(1)：流量調整弁
(2)：ボディ
(2a)：流体流入通路（流体通路）
(2b)：流体流出通路（流体通路）
(4)：ダイヤフラム（弁体）
(6)：上下移動体
(11)：モータ（回転装置）
(13)：駆動歯車（回転装置）
(14)：従動歯車（回転装置）
(15)：回転体
(34)：回転軸
(50)：流体制御装置
(53)：パソコン（監視装置）
【発明を実施するための形態】
【００２７】
この発明の実施の形態を、以下図面を参照して説明する。以下の説明において、上下・左右は、図１の上下・左右をいうものとする。また、図２の上下を前後というものとする。この、上下・左右・前後は、便宜的なもので、実際の使用に際しては、上下を逆にしたり、上下を水平方向に向けたりなど、適宜設定することができる。
【００２８】
図１に示すように、流量調整弁(1)は、流体流入通路(2a)、流体流出通路(2b)および上方に向かって開口した凹所(2c)を有しているブロック状ボディ(2)と、ボディ(2)の凹所(2c)上部に下端部がねじ合わされて上方にのびる円筒状ボンネット(3)と、流体流入通路(2a)の出口周縁部に押圧または離間されて流体流入通路(2a)を開閉する金属製ダイヤフラム（弁体）(4)と、ダイヤフラム押さえ(5)を介してダイヤフラム(4)を流体流入通路(2a)の出口周縁部に押圧・離間させる上下移動体(6)と、開度調整手段(7)とを備えている。
【００２９】
開度調整手段(7)は、上下移動体(6)を所定位置に位置させて、流体流入通路(2a)と流体流入通路(2a)との間の開度を調整するもので、モータ(11)と、底壁(12a)、左右側壁(12b)および頂壁(12c)からなり、モータ(11)を左半部に収納する角筒状のケーシング(12)と、歯車(13)(14)を介してモータ(11)によって回転させられる回転体(15)とを備えている。
【００３０】
ボンネット(3)は、その下端部が袋ナット(21)によってボディ(2)に固定され、その中間部がナット(22)によってケーシング(12)の底壁(12a)の右半部に固定されている。ボンネット(3)の上端部には、おねじ部が設けられて、このおねじ部に、袋ナット(23)がねじ合わされている。
【００３１】
ボンネット(3)の下端とボディ(2)との間に、ダイヤフラム(4)の周縁部を固定する押さえアダプター(24)が設けられている。押さえアダプター(24)とダイヤフラム押さえ(5)の上端部に設けられたフランジとの間に、ダイヤフラム押さえ(5)を上向きに付勢する圧縮コイルばね(25)が設けられている。
【００３２】
回転体(15)は、下部におねじ(31a)が形成された軸部(31)と、軸部(31)に被せられた内筒部(32)と、内筒部(32)の上部に被せられた外筒部(33)とを備えている。
【００３３】
軸部(31)は、その上端部が上方に突出するように、内筒部(32)に挿通されており、軸部(31)の上端部にねじ合わされたナット(26)が締め付けられることによって、軸部(31)と内筒部(32)とが結合されている。また、外筒部(33)と内筒部(32)とは、外筒部(33)に設けられた径方向に貫通するねじ孔に止めねじ(27)がねじ込まれることによって結合されている。こうして、外筒部(33)を回転させることで、内筒部(32)および軸部(31)も一体で回転するようになされている。
【００３４】
外筒部(33)は、ケーシング(12)の頂壁(12c)の上面に固定された転がり軸受(28)によって回転可能にケーシング(12)に支持されている。外筒部(33)の上端部には、円柱状の突出部(33a)が設けられており、突出部(33a)に従動歯車(14)が止めねじ(29)によって固定されている。
【００３５】
モータ(11)は、エンコーダを搭載したステッピングサーボモータであり、断面が正方形の直方体状とされて、ケーシング(12)の頂壁(12c)の左部にボルト(30)によって吊り下げ状に取り付けられている。モータ(11)の回転軸(34)は、ケーシング(12)の頂壁(12c)から上方に突出させられており、この部分に駆動歯車(13)が止めねじ(35)によって固定されている。モータ(11)には、外部機器との接続を可能とする端子(11a)が設けられている。
【００３６】
駆動歯車(13)および従動歯車(14)は、いずれも上下にのびる軸線を有し、左右に並んで配置されている。駆動歯車(13)の上下寸法は、従動歯車(14)の上下寸法よりも大きくなされており、これにより、従動歯車(14)が上下に移動した場合でも、両者の噛み合いが外れないようになされている。
【００３７】
ケーシング(12)の開口部分には、コの字状のサイドカバー(40)が被せられて、小ねじ(41)によってケーシング(12)の右側壁(12b)に固定されている。また、ケーシング(12)の頂壁(12c)には、頂壁(12c)の上方にある歯車(13)(14)を覆うようにトップカバー(42)が被せられて、小ねじ(43)によってケーシング(12)の左側壁(12b)に固定されている。トップカバー(42)は、アクリル、ＰＥＴなどで形成された透明な樹脂加工品とされて、外部から歯車(13)(14)の回転状態が観察できるようになされている。そして、歯車(13)(14)部分でトラブルが発生した際には、トップカバー(42)だけを取り外して、必要な処理を行うことができる。
【００３８】
ボンネット(3)の上端部の袋ナット(23)の上方に若干の間隙をおいて位置するように、環状のストッパ(36)が設けられている。ストッパ(36)は、内筒部(32)の外周に上下移動可能に嵌め合わせられており、上下方向所定の位置に位置決めされて止めねじ(37)によって内筒部(32)に固定されている。ストッパ(36)は、回転体(15)が下降したときに袋ナット(23)の上面に当接するようになっており、これにより、流量調整弁(1)の全閉時からの回転体(15)の下降が規制されている。
【００３９】
内筒部(32)の下部外周におねじ(32a)が形成されて、ボンネット(3)の上部内周に、内筒部(32)のおねじ(32a)に対応するめねじ(3a)が形成されており、ボンネット(3)と内筒部(32)とは、相対回転可能なようにねじ合わされている。
【００４０】
上下移動体(6)は、有底円筒状とされて、その内周に、回転体(15)の軸部(31)のおねじ(31a)にねじ合わされているめねじ(6a)が形成されている。上下移動体(6)は、その上端部が内筒部(32)の下端部に挿入された状態で、軸部(31)のおねじ (31a)にねじ合わされている。
【００４１】
回転体(15)の軸部(31)のおねじ(31a)および上下移動体(6)のめねじ(6a)（第１のねじ合わせ）は、ボンネット(3)のめねじ(3a)および内筒部(32)のおねじ (32a)（第２のねじ合わせ）のねじピッチよりも小さいねじピッチとされている。第１および第２のねじ合わせのねじの向きは、回転体(15)を回転して下降させたときに上下移動体(6)が下降するように設定されている。
【００４２】
ダイヤフラム押さえ(5)は、ボンネット(3)の下端部に設けられた下向きに開口した凹所に上下移動可能に挿入されている。ダイヤフラム押さえ(5)は、上下移動体(6)が下降すると、これに押されて上下移動体(6)と一体で下降し、上下移動体(6)が上昇すると、圧縮コイルばね(25)の弾性力により、上下移動体(6)と一体で上昇する。
【００４３】
上下移動体(6)の外周に、上下方向にのびる案内溝(38)が設けられて、ボンネット(3)に、案内溝(38)を径方向外方から臨むように、上下方向に直交する方向にのびる軸を有する案内ピン(39)が設けられている。案内ピン(39)の先端部を除いた外周には、おねじが設けられており、ボンネット(3)に設けられたねじ孔にねじ合わされることによって、案内ピン(39)がボンネット(3)に固定されている。案内ピン(39)の先端部は、案内溝(38)に嵌め入れられており、これにより、上下移動体(6)は、ボンネット(3)に対して回転不可能にかつ上下方向移動可能になされている。
【００４４】
開度調整手段(7)によると、回転体(15)の外筒部(33)を下降する方向へ回転させることにより、内筒部(32)および軸部(31)が外筒部(33)と一体で回転しながら下降する。軸部(31)にねじ合わされている上下移動体(6)は、案内ピン(39)が案内溝(38)に嵌め入れられていることによって回転が阻止された状態で下降する。この際、第１のねじ合わせ（回転体(15)の軸部(31)のおねじ(31a)と上下移動体(6)のめねじ(6a)とのねじ合わせ）が第２のねじ合わせ（ボンネット(3)のめねじ(3a)と内筒部(32)のおねじ(32a)とのねじ合わせ）のねじピッチよりも小さいねじピッチとされていることで、上下移動体(6)は、ねじピッチの差だけ下降することになる。したがって、精度のよい調整が可能となる。
【００４５】
上記の流量調整弁(1)によると、モータ(11)の横断面形状は、１辺が２５ｍｍの正方形とされており、図２に示す平面の大きさ（カバー(40)(42)の横断面形状）に関して、その前後幅が３６ｍｍ以下、すなわち、モータ(11)を追加して電動としたにもかかわらず、手動弁に対して前後幅の増加が抑えられている。また、流量調整弁(1)の上下高さについても、手動弁に操作用の空間を追加した高さに対して、その増加が抑えられている。したがって、手動の流量調整弁が使用されている既存の流体制御装置において、配置スペースを増加させることなく、手動のものを電動の流量調整弁(1)に置き換えることができる。なお、モータ(11)の横断面形状は、１辺が３５ｍｍ以下の正方形としても、流量調整弁(1)の平面の大きさ（カバー(40)(42)の横断面形状）に関して、その前後幅を３６ｍｍ以下とすることができる。
【００４６】
モータ(11)に搭載されているエンコーダは、１回転で９６００パルスを発信するようになっており、ギヤ比が２．２８５７で、モータ(11)は１０回転するので、モータ(11)の分解能は、２１９，４２７パルスとなっている。分解能については、２０００パルス以上であれば、必要な精度を得ることができる。
【００４７】
図３に、モータ(11)の制御装置により行われる流量調整弁(1)の動作ステップを示す。
【００４８】
まず、電源を投入(S1)の後、パソコン画面から原点復帰ボタンをＯＮにする(S2)と、モータ(11)が駆動を開始する。この時点では、エンコーダからの信号とリンクできていないので、クローズドループの制御を行うことはできず、連続定格トルク以下でモータ(11)を閉方向に回転させる。これにより、上下移動体(6)は閉方向に移動する(S3)。この際の制御は、押し当て制御とされ(S4)、設定値のトルクに達するまで、上下移動体(6)は移動し続ける。この際、トルク値は常時監視されて異常かどうかが判定され(S5)、異常と判定された場合には、警報が出されて、モータ(11)の駆動が停止される。
【００４９】
トルク異常と判定されずに、設定値のトルクに達し、このトルクが設定時間以上継続したときに、上下移動体(6)が閉止点に到達した（原点復帰）と判断する(S6)。例えば、連続定格トルクに対する所定の値（例えば９５％）以上になって、かつ、設定時間（例えば２秒）以上の場合に原点復帰とされる。
【００５０】
この後、モータ(11)を開方向に回転させ、これにより、上下移動体(6)は開方向に移動する(S7)。この際の制御は、位置制御とされ(S8)、エンコーダ信号に基づいたクローズドループの制御が行われる。この際には、速度制御(S9)も行われ、回転体(15)の操作時間が０．１秒〜１２０秒／回転の範囲内で適宜な値に設定され、これにより、上下移動体(6)の移動速度が手による操作速度と同程度に保持される。トルク値は常時監視されて異常かどうかが判定され(S10)、異常と判定された場合には、警報が出されて、モータ(11)の駆動が停止される。設定開度に位置決めしようとして、目標のエンコーダ位置を目指して動作する際、連続定格トルクの１．４倍の瞬時最大トルクを発生し、流量調整弁(1)に異常があって、定格の１．４倍のトルクでも動作しない場合、エンコーダの目標ポイントとの偏差が発生し、すぐにエラーと判断される。
【００５１】
異常がない場合、設定開度に対応する回転量に達した時点でモータ(11)の回転が停止させられる(S11)。流量調整弁(1)の全閉〜全開までの分解能は、上述のように約２０万パルス（２０００パルス以上）となっており、開度設定の位置決めにおいて、非常にシビアな位置決めができる。この後、この開度に維持されるように、上下移動体(6)の位置が保持される(S12)。原点復帰後は、エンコーダ信号によるクローズドループの制御を行っているため、開度の位置決めが出来れば、外乱が無い限り、その開度を必要最小限のトルクで維持することが出来る。つまり、最小限の電流を流すため、モータ(11)自体の発熱がほぼ無いものとできる。パソコン画面には、現在の状況が継続してモニタリングされ(S13)、異常がなければ、１回分のプロセスが終了する(S14)。
【００５２】
図４に、上記の流量調整弁(1)を備えた流体制御装置(50)の一例を示す。
【００５３】
この流体制御装置(50)は、流量調整弁(1)およびこの上流側に設けられたマスフローメータ(51)を８ライン分備えており、流体制御装置(50)の下流側に配置されたエピタキシャル装置などの半導体製造装置に各流量調整弁(1)を介して所定の流量とされた流体を供給する。
【００５４】
流体制御装置(50)は、さらに、流量調整弁(1)およびマスフローメータ(51)の８ライン分に接続されるコントロールボックス(52)と、パソコン（監視装置）(53)と、警報出力手段としてのパトライト（登録商標）(54)とを備えている。
【００５５】
コントロールボックス(52)には、各流量調整弁(1)および各マスフローメータに接続されるＰＬＣ（Programmable Logic Controller）、電源、無線送受信器、モータ駆動基板などが搭載されている。
【００５６】
パトライト（登録商標）(54)は、正常動作時に、緑ランプを点灯させ、各流量調整弁(1)に搭載されたモータ(11)のどれかが異常になったときには、緑と赤の両方を点灯させ、ＰＬＣ故障および電源オフ時には、緑と赤の両方ともを消灯させる。
【００５７】
コントロールボックス(52)と各流量調整弁(1)とは、計８本のバルブケーブル(55)によって接続され、コントロールボックス(52)と各マスフローメータ(51)とは、計８本のＬ型コネクタ(56a)付きＭＦＭケーブル(56)によって接続され、コントロールボックス(52)とパソコン(53)とは、ＬＡＮケーブル(57)で接続され、コントロールボックス(52)とパトライト（登録商標）(54)とは、警報用ケーブル(58)で接続される。各ケーブル(55)(56)(57)(58)の長さは、例えば５ｍ程度とされる。
【００５８】
パソコン(53)からは、全ての流量調整弁(1)について、開度の設定と流量のモニタリングとを行うことができる。
【００５９】
この流体制御装置(50)によると、各流量調整弁(1)の開度を一括で管理することができる。また、トルクなどのデータをパソコン(53)に保存しておくことで、初期データと現在データとの比較が可能となり、流量調整弁(1)の劣化状態を評価することができる。また、保存した開度値などの再利用が可能となり、開度の設定が容易になる。
【００６０】
上記において、パソコン(53)は、タブレットやスマートフォンなどの適宜な端末（監視装置）に置き換えることも可能であり、これらの監視装置は、流体制御装置(50)の設置場所から離れた遠隔からの操作が可能なものとすることもできる。
【００６１】
各流量調整弁(1)には、トルクを測定する機能に加えて、種々のセンサを組み込んでもよい。例えば、ＭＥＭＳマイクロフォンを組み込むことにより、流量調整弁(1)の駆動動作を遠隔で把握し、トルク信号とともに、流量調整弁(1)の駆動の異常を判断することができる。また、小型ＣＣＤを組み込むことにより、駆動時の歯車(13)(14)の動作が遠隔で見られるようにして、異常の有無を判断することができる。また、ＭＥＭＳ湿度センサを組み込むことにより、モータ(11)の周辺の湿度が正常かを判断することができる。また、ＭＥＭＳ温度センサを組み込むことにより、モータ(11)の周辺の温度が正常かを判断することができる。また、ＭＥＭＳ加速度センサを組み込むことにより、モータ(11)自体の振動が正常かを判断することができる。
【００６２】
上記において、モータ(11)および歯車(13)(14)（すなわち回転装置）以外の構成は、図示したものに限定されず、種々の流量調整弁の構成に変更することができる。また、流体制御装置(50)についても、図示したものに限定されず、種々の流体制御装置に対して、上記のモータ(11)および歯車(13)(14)を備えた流量調整弁を適用することができる。
【産業上の利用可能性】
【００６３】
この発明によると、手動弁タイプの小型化を十分活かしながらもその課題を解決した電動弁タイプの流量調整弁が得られるので、この流量調整弁を使用する流体制御装置およびこの流体制御装置を使用する半導体製造ラインの性能向上に寄与できる。
【図１】
2018079586.tif 000003
【図２】
2018079586.tif 000004
【図３】
2018079586.tif 000005
【図４】
2018079586.tif 000006
【国際調査報告】
2018079586.tif 000007
2018079586.tif 000008
2018079586.tif 000009
2018079586.tif 000010